(57)【要約】 【課題】  鋼管杭を埋め込む際にその下端に形成される固化体が切削屑の混入あるいは偏在によって強度不足となるのを回避する。【解決手段】本発明に係る鋼管杭１は、地盤２に形成された掘削孔３内に建て込まれるとともに該掘削孔の孔壁５との間に充填されたグラウト材９を介して掘削孔３に埋め込まれるようになっており、埋込み完了後は、底面４の下方に地盤改良体８が形成されてなる鋼管杭の埋込み構造が構築される。鋼管杭１は、杭本体６と該杭本体の先端に設けられた攪乱手段としての切削カッター７とで構成してあり、該切削カッターは、杭本体６を材軸回りに回転させることにより、該杭本体の横断面に相当する範囲を攪乱できるようになっている。【選択図】  図１
2015108238.tif 000002
【特許請求の範囲】
【請求項１】
地盤又は地盤内の改良体に形成された掘削孔内に鋼管杭を建て込むと同時に又は相前後して該掘削孔内にグラウト材を投入し、
前記鋼管杭を押し下げつつ回転させることで該鋼管杭の下端にて前記掘削孔の底面下方を攪乱するとともに、その攪乱土を、攪乱開始前から前記掘削孔の底面に残留していた切削屑及び前記グラウト材とともに攪拌混合することにより、該底面の下方に地盤改良領域を形成し、
前記鋼管杭の下端が前記地盤改良領域の天端近傍高さとなるように該鋼管杭を退避させ、
前記鋼管杭の周囲に充填されたグラウト材を固化させるとともに、前記地盤改良領域に含まれるグラウト材を固化させることで該地盤改良領域を固結させることを特徴とする鋼管杭の埋込み方法。
【請求項２】
前記退避工程において、前記鋼管杭の下端を前記地盤改良領域の天端から離間させる請求項１記載の鋼管杭の埋込み方法。
【請求項３】
前記地盤改良領域の形成工程において、前記鋼管杭の下端が前記地盤改良領域の高さ範囲で上下するように該鋼管杭を引き上げては押し下げる動作を繰り返し行う請求項１記載の鋼管杭の埋込み方法。
【請求項４】
前記掘削孔をその孔壁が保護されるようにケーシングを用いて形成し、前記鋼管杭の建込み工程において、前記地盤改良領域を形成するために必要でかつ十分な量のグラウト材を前記ケーシングが残置された状態で一次投入するとともに、前記地盤改良領域を形成した後、前記ケーシングを引き抜きつつ、前記鋼管杭の埋込みに必要な残りの量のグラウト材を二次投入する請求項１乃至請求項３のいずれか一記載の鋼管杭の埋込み方法。
【請求項５】
前記掘削孔をその孔壁が保護されるようにケーシングを用いて形成し、前記鋼管杭の建込み工程において、前記ケーシングを引き抜きつつ、前記地盤改良領域の形成に必要な量を含めた前記鋼管杭の埋込みに必要な全量のグラウト材を一括投入する請求項１乃至請求項３のいずれか一記載の鋼管杭の埋込み方法。
【請求項６】
地盤又は地盤内の改良体に形成された掘削孔内に建て込まれるとともに該掘削孔との間に充填されたグラウト材を介して前記掘削孔に埋め込まれるようになっている鋼管杭において、
杭本体と該杭本体の材軸回りの回転によって少なくともその横断面に相当する範囲を攪乱できるように前記杭本体の先端に設けられた攪乱手段とで構成したことを特徴とする鋼管杭。
【発明の詳細な説明】
【技術分野】
【０００１】
本発明は、主として杭径が小さな鋼管杭を地盤に埋め込む際に適用される鋼管杭及びその埋込み方法に関する。
【背景技術】
【０００２】
構造物を支持するための杭基礎は、支持機構の観点からは、良質な支持層に下端を貫入させることで支持力を確保する支持杭と、良質な支持層がない場合に周辺地盤との摩擦によって支持力を確保する摩擦杭とに大別されるが、施工方法の観点からは、打込み杭、埋込み杭、場所打ち杭等に分類されるとともに、杭径の観点からは、φ３００ｍｍ以下の埋込み杭や打込み杭を用いたマイクロパイル工法と呼ばれる杭工法が知られている。
【０００３】
マイクロパイル工法は、比較的小規模な施工機械で実施が可能であるため、狭隘な場所、空頭制限がある場所、山間部、傾斜地その他十分な施工スペースを確保できない場合に有効な手段として実績がある。
【０００４】
マイクロパイル工法において鋼管杭を埋込み杭として用いる場合には、まず、地盤に掘削孔を先行形成し、次いで、該掘削孔内に鋼管杭を建て込んだ後、該鋼管杭の下方及び周囲にグラウト材を充填する。
【０００５】
このようにすると、充填されたグラウト材は、鋼管杭の下方で固化して該鋼管杭の軸力を地盤に伝達するとともに、鋼管杭の周囲で固化して該鋼管杭と周辺地盤との間で水平力や鋼管杭の周面に沿った摩擦力を伝達する役目を果たす。
【先行技術文献】
【特許文献】
【０００６】
【特許文献１】特開平１１−２２２８５２号公報
【発明の概要】
【発明が解決しようとする課題】
【０００７】
しかしながら、掘削孔を形成する際、その底面近傍に切削屑が残留するため、該切削屑が例えば下方に偏在する形でグラウト材が固化し、その結果、固化体の強度が不足する場合が生じる。
【０００８】
そのため、鋼管杭の下端で十分な大きさの先端支持力を期待することが困難となり、結果として、鋼管杭の本数を増やしたり鋼管杭の径を大きくしたりせざるを得ないのが現状である。
【０００９】
一方、グラウト材を充填する前に切削屑を除去すれば、固化体が強度不足となるおそれはないものの、例えばアースオーガを用いた掘削や二重管削孔の場合において、かかる切削屑を孔壁とそれを保護するケーシングとの隙間を介してスライムとして回収しようとすると、土質性状によっては、スライムの流れによって孔壁が崩落するおそれがあるという別の問題を生じる。
【課題を解決するための手段】
【００１０】
本発明は、上述した事情を考慮してなされたもので、鋼管杭を埋め込む際にその下端に形成される固化体が切削屑の混入あるいは偏在によって強度不足となるのを回避することが可能な鋼管杭及びその埋込み方法を提供することを目的とする。
【００１１】
上記目的を達成するため、本発明に係る鋼管杭の埋込み方法は請求項１に記載したように、地盤又は地盤内の改良体に形成された掘削孔内に鋼管杭を建て込むと同時に又は相前後して該掘削孔内にグラウト材を投入し、
前記鋼管杭を押し下げつつ回転させることで該鋼管杭の下端にて前記掘削孔の底面下方を攪乱するとともに、その攪乱土を、攪乱開始前から前記掘削孔の底面に残留していた切削屑及び前記グラウト材とともに攪拌混合することにより、該底面の下方に地盤改良領域を形成し、
前記鋼管杭の下端が前記地盤改良領域の天端近傍高さとなるように該鋼管杭を退避させ、
前記鋼管杭の周囲に充填されたグラウト材を固化させるとともに、前記地盤改良領域に含まれるグラウト材を固化させることで該地盤改良領域を固結させるものである。
【００１２】
また、本発明に係る鋼管杭の埋込み方法は、前記退避工程において、前記鋼管杭の下端を前記地盤改良領域の天端から離間させるものである。
【００１３】
また、本発明に係る鋼管杭の埋込み方法は、前記地盤改良領域の形成工程において、前記鋼管杭の下端が前記地盤改良領域の高さ範囲で上下するように該鋼管杭を引き上げては押し下げる動作を繰り返し行うものである。
【００１４】
また、本発明に係る鋼管杭の埋込み方法は、前記掘削孔をその孔壁が保護されるようにケーシングを用いて形成し、前記鋼管杭の建込み工程において、前記地盤改良領域を形成するために必要でかつ十分な量のグラウト材を前記ケーシングが残置された状態で一次投入するとともに、前記地盤改良領域を形成した後、前記ケーシングを引き抜きつつ、前記鋼管杭の埋込みに必要な残りの量のグラウト材を二次投入するものである。
【００１５】
また、本発明に係る鋼管杭の埋込み方法は、前記掘削孔をその孔壁が保護されるようにケーシングを用いて形成し、前記鋼管杭の建込み工程において、前記ケーシングを引き抜きつつ、前記地盤改良領域の形成に必要な量を含めた前記鋼管杭の埋込みに必要な全量のグラウト材を一括投入するものである。
【００１６】
また、本発明に係る鋼管杭は請求項６に記載したように、地盤又は地盤内の改良体に形成された掘削孔内に建て込まれるとともに該掘削孔との間に充填されたグラウト材を介して前記掘削孔に埋め込まれるようになっている鋼管杭において、
杭本体と該杭本体の材軸回りの回転によって少なくともその横断面に相当する範囲を攪乱できるように前記杭本体の先端に設けられた攪乱手段とで構成したものである。
【００１７】
本発明に係る鋼管杭の埋込み方法においては、まず、鋼管杭を建て込むための掘削孔を地盤又は地盤内の改良体に形成する。
【００１８】
掘削孔を形成するにあたっては、例えば二重管削孔、アースオーガといった公知の施工方法を適宜採用することが可能である。
【００１９】
掘削孔が形成された段階では、該掘削孔の底面に切削屑が残留するが、この状態のまま、掘削孔内に鋼管杭を建て込むとともに、該掘削孔内にグラウト材を投入する。
【００２０】
投入のタイミングは、鋼管杭の建込みと同時でもよいし、建込み前又は建込み後でもよい。また、グラウト材は例えば、セメント、石灰等の水硬性材料で構成することができる。
【００２１】
次に、鋼管杭を押し下げつつ回転させることで、該鋼管杭の下端にて掘削孔の底面下方を攪乱するとともに、その攪乱土を、攪乱開始前から掘削孔の底面に残留していた切削屑及びグラウト材とともに攪拌混合することにより、該底面の下方に地盤改良領域を形成する。
【００２２】
鋼管杭の押下げ及び回転は、例えばボーリングマシンを用いて行えばよい。
【００２３】
掘削孔の底面をどのようにして鋼管杭の下端で攪乱するかは任意であるが、鋼管杭を、例えば杭本体と該杭本体の材軸回りの回転によって少なくともその横断面に相当する範囲を攪乱できるように杭本体の先端に設けられた攪乱手段とで構成することができる。
【００２４】
地盤改良領域が形成されたならば、鋼管杭の下端が地盤改良領域の天端近傍高さとなるように該鋼管杭を退避させる。
【００２５】
次に、鋼管杭の周囲に充填されたグラウト材を固化させるとともに、地盤改良領域に含まれるグラウト材を固化させることで該地盤改良領域を固結させる。
【００２６】
このようにすると、掘削孔の形成時に発生し該掘削孔の底面に残留していた切削屑は、攪乱土やグラウト材とともに均等に攪拌混合されて地盤改良領域となるので、該グラウト材が固化したとき、地盤改良領域は、切削屑が偏在しない状態で固結する。
【００２７】
そのため、地盤改良領域は、強度に優れた良質な地盤改良体として固結することとなり、かくして切削屑が例えば下方に偏在する形でグラウト材が固化するといった事態を回避することが可能となり、鋼管杭の先端支持力を大幅に高めることが可能となる。
【００２８】
掘削孔は、地盤に形成されたものをはじめ、地盤内に設けられた改良体、例えばソイルセメント柱に形成されたものが包摂される。
【００２９】
鋼管杭は、マイクロパイル工法で採用される概ね３００ｍｍ以下のものが主たる対象となるが、上述した地盤改良体によって下端が根固めされ、該地盤改良体を介して軸力が地盤に伝達されるとともに、周囲に充填されたグラウト材によって水平方向の支持力や周面に沿った摩擦力が確保されるのであれば、外径３００ｍｍを上回る鋼管杭であってもかまわない。
【００３０】
一方、鋼管杭の押下げ及び回転によって地盤改良領域を形成するためには、鋼管杭の径に応じたトルクが必要になるが、鋼管杭の径を概ね３００ｍｍ以下とすれば、必要トルクが小さくて済むため、鋼管杭の押下げ及び回転のための荷重伝達機構、例えばボーリングマシンの負担を軽減することが可能となり、マイクロパイル工法には最適な構成となる。
【００３１】
鋼管杭の建込みは、鉛直下方に向けて形成された掘削孔に建て込まれる場合をはじめ、斜め下方に向けて形成された掘削孔に建て込まれる場合も包摂される。
【００３２】
鋼管杭を地盤改良領域から退避させるにあたっては、地盤改良領域が固結して地盤改良体となったときに該地盤改良体を介して鋼管杭の軸力が地盤に確実に伝達する限り、地盤改良領域の天端近傍高さをどのように設定するかは任意であって、これを天端高さとすることも可能であるが、鋼管杭の下端を地盤改良領域の天端から離間させる、すなわち天端近傍高さを天端から所定の離間距離だけ上方の高さとすれば、鋼管杭の下端と地盤改良体との間には、グラウト材のみからなる固化体が形成される。
【００３３】
そのため、鋼管杭からの軸力は、鋼管杭の断面積を有効面積として地盤改良体や地盤に伝達するのではなく、固化体の断面積を有効面積として地盤改良体や地盤に伝達することとなり、かくしてより広い面積で鋼管杭からの軸力を地盤改良体や地盤に伝達させることが可能となり、鋼管杭の先端支持力に対する信頼性が向上する。
【００３４】
鋼管杭を押し下げつつ回転させることで地盤改良領域を形成するにあたり、鋼管杭を上方に戻すことなく下方にのみ移動させるようにしてもかまわないが、鋼管杭の下端が地盤改良領域の高さ範囲で上下するように該鋼管杭を引き上げては押し下げる動作を繰り返し行うようにすれば、切削屑、攪乱土及びグラウト材をさらに均等に攪拌混合することが可能となる。
【００３５】
鋼管杭を建て込むための掘削孔を形成する際、その孔壁を保護するためにケーシングを用いるかどうかは任意であるし、グラウト材を投入するにあたり、地盤改良領域の形成に必要なグラウト材が地盤改良領域形成前に投入されかつ鋼管杭の埋込みに必要な量が最終的に投入される限り、どのようなタイミングでグラウト材を投入するかも任意である。
【００３６】
ここで、掘削孔をその孔壁が保護されるようにケーシングを用いて形成し、鋼管杭の建込み工程において、地盤改良領域を形成するために必要でかつ十分な量のグラウト材をケーシングが残置された状態で一次投入するとともに、地盤改良領域を形成した後、ケーシングを引き抜きつつ、鋼管杭の埋込みに必要な残りの量のグラウト材を二次投入するように構成したならば、攪乱土や切削屑が鋼管杭の周囲に充填されるグラウト材に混入するおそれがなくなるとともに、鋼管杭の下端を地盤改良領域の天端から離間させる場合には、さらに鋼管杭の直下に充填されるグラウト材に混入するおそれがなくなる。
【００３７】
そのため、鋼管杭の周囲で形成される固化体、場合によってはそれに加えて鋼管杭の直下で形成される固化体を、攪乱土や切削屑が含まれないグラウト材のみで構成することが可能となり、鋼管杭の荷重伝達機能に対する信頼性が向上する。
【００３８】
一方、掘削孔をその孔壁が保護されるようにケーシングを用いて形成し、鋼管杭の建込み工程において、ケーシングを引き抜きつつ、地盤改良領域の形成に必要な量を含めた鋼管杭の埋込みに必要な全量のグラウト材を一括投入するように構成したならば、グラウト材の投入作業を簡略化することが可能となり、鋼管杭の埋込みを早期に終えることができる。
【図面の簡単な説明】
【００３９】
【図１】本実施形態に係る鋼管杭１を示した側面図。
【図２】切削カッター７を示した図であり、(a)はＡ−Ａ線方向から見た矢視図、(b)は斜視図。
【図３】本実施形態に係る鋼管杭の埋込み方法を実施する手順を示したフローチャート。
【図４】本実施形態に係る鋼管杭の埋込み方法の実施手順を示した施工図。
【図５】引き続き本実施形態に係る鋼管杭の埋込み方法の実施手順を示した説明図。
【図６】引き続き本実施形態に係る鋼管杭の埋込み方法の実施手順を示した説明図。
【図７】変形例に係る鋼管杭の埋込み方法のグラウト投入工程を示した説明図。
【図８】変形例に係る鋼管杭の埋込み方法の退避工程を示した説明図。
【図９】変形例に係る鋼管杭の埋込み方法の地盤改良領域形成工程を示した説明図。
【発明を実施するための形態】
【００４０】
以下、本発明に係る鋼管杭及びその埋込み方法の実施の形態について、添付図面を参照して説明する。
【００４１】
図１は、本実施形態に係る鋼管杭を示した側面図である。同図に示すように、本実施形態に係る鋼管杭１は、地盤２に形成された掘削孔３内に建て込まれるとともに該掘削孔の孔壁５との間に充填されたグラウト材９を介して掘削孔３に埋め込まれるようになっており、埋込み完了後は、底面４の下方に地盤改良体８が形成されてなる鋼管杭の埋込み構造が構築される。
【００４２】
鋼管杭１は、杭本体６と該杭本体の先端に設けられた攪乱手段としての切削カッター７とで構成してあり、該切削カッターは、杭本体６を材軸回りに回転させることにより、該杭本体の横断面に相当する範囲を攪乱できるようになっている。
【００４３】
杭本体６は、例えばマイクロパイル工法で採用される概ね３００ｍｍ以下の円筒鋼管で構成することができる。
【００４４】
切削カッター７は図２でよくわかるように、中心角がそれぞれほぼ直角をなす一対の扇状平板１１，１１を、それらが杭本体６の材軸回りに回転対称となる位置で該杭本体の先端側開口を塞ぐ形となるように配置して構成してあるとともに、扇状平板１１，１１の周縁のうち、半径方向に沿った縁部の一方には切削歯１２をそれぞれ立設してある。
【００４５】
一方、杭本体６の先端側開口のうち、扇状平板１１，１１に挟まれた２つの開口は、杭本体６の内部空間を圧送されてきたグラウト材が吐出される吐出口１３，１３として機能する。
【００４６】
図３は、本実施形態に係る鋼管杭の埋込み方法を用いて鋼管杭１を地盤２に埋め込む手順を示したフローチャートであり、同手順に沿って鋼管杭１を地盤２に埋め込むには、まず図４(a)に示すように、外ケーシング４１で孔壁５を保護しつつ、内ケーシング４２を回転させる、いわゆる二重管削孔によって鋼管杭１を建て込むための掘削孔３を地盤２に形成する（ステップ１０１）。
【００４７】
掘削孔３は、その底面４が地盤２の支持層に到達するように形成するのが望ましい。
【００４８】
掘削孔３が形成されたならば、図４(b)に示すように、内ケーシング４２を撤去する一方、外ケーシング４１はそのまま残置して孔壁５を引き続き保護する（ステップ１０２）。
【００４９】
ここで、掘削孔３が形成された段階では、同図に示すように該掘削孔の底面４に切削屑４３が残留するが、これを排出するための特段の措置は不要である。
【００５０】
次に、図５(a)に示すように、掘削孔３内に鋼管杭１を建て込むとともに、後述する地盤改良領域を形成するために必要でかつ十分な量のグラウト材５１をケーシング４１が残置された状態で掘削孔３に一次投入する（ステップ１０３）。
【００５１】
グラウト材５１は、鋼管杭１の建込みと同時に投入してもよいし、建込み前又は建込み後に投入してもよいが、鋼管杭１の建込み後に行う場合には、杭本体６の内部空間を利用してグラウト材５１を圧送するとともに、該グラウト材を杭本体６の下端に形成された吐出口１３，１３から吐出するようにすればよい。
【００５２】
次に、同図(b)に示すように、鋼管杭１を例えばボーリングマシンを用いることで押し下げつつ回転させ、該鋼管杭の先端に設けた切削カッター７で掘削孔３の底面４下方を攪乱するとともに、その攪乱土を、掘削孔３の底面４に残留していた切削屑４３及びグラウト材５１とともに攪拌混合し、これら攪乱土、切削屑４３及びグラウト材５１からなる地盤改良領域５２を掘削孔３の底面４下方に形成する（ステップ１０４）。
【００５３】
なお、攪拌混合の際、杭本体６の下端又は切削カッター７に振動を付与するようにすれば、攪乱土、切削屑４３及びグラウト材５１の攪拌混合を均質にかつ効率よく行うことができる。
【００５４】
地盤改良領域５２が形成されたならば、図６(a)に示すように、鋼管杭１の下端が地盤改良領域５２の天端近傍高さとなるように該鋼管杭を退避させる（ステップ１０５）。鋼管杭１の退避は、地盤改良領域５２が固結する前に行う。
【００５５】
次に、図６(b)に示すように、外ケーシング４１を引き抜きつつ、鋼管杭１の埋込みに必要な残りの量のグラウト材６１を掘削孔３に二次投入する（ステップ１０６）。
【００５６】
グラウト材６１は、地盤改良領域５２に含まれる攪乱土や切削屑４３がグラウト材６１に混入しないよう、該地盤改良領域が概ね固結した後で掘削孔３に投入するのが望ましいが、上述した混入のおそれがないのであれば、地盤改良領域５２が固結する前にグラウト材６１を投入してもかまわない。
【００５７】
次に、鋼管杭１の周囲に充填されたグラウト材６１を固化させるとともに、地盤改良領域５２に含まれるグラウト材５１が未だ固化していない場合には、これを固化させることで該地盤改良領域を地盤改良体８として固結させる（ステップ１０７）。
【００５８】
以上説明したように、本実施形態に係る鋼管杭１及びその埋込み方法によれば、掘削孔３の形成時に発生し該掘削孔の底面４に残留していた切削屑４３は、攪乱土やグラウト材５１とともに均等に攪拌混合されて地盤改良領域５２となるので、グラウト材５１が固化したとき、地盤改良領域５２は、切削屑４３が偏在しない状態で固結する。
【００５９】
そのため、地盤改良領域５２は、強度に優れた良質な地盤改良体８として固結することとなり、かくして切削屑４３が例えば下方に偏在する形でグラウト材が固化するといった事態を回避することが可能となり、鋼管杭１の先端支持力を大幅に高めることができるとともに、その結果、鋼管杭の本数を削減し、鋼管杭の径を小さくし、あるいは鋼管杭の杭長を短くすることが可能となる。
【００６０】
また、本実施形態に係る鋼管杭の埋込み方法によれば、地盤改良領域５２を形成するために必要でかつ十分な量のグラウト材５１を外ケーシング４１が残置された状態で一次投入するとともに、地盤改良領域５２を形成した後、外ケーシング４１を引き抜きつつ、鋼管杭１の埋込みに必要な残りの量のグラウト材６１を二次投入するように構成したので、攪乱土や切削屑４３が鋼管杭１の周囲に充填されるグラウト材６１に混入するおそれがなくなる。
【００６１】
そのため、鋼管杭１の周囲で形成される固化体を、攪乱土や切削屑４３が含まれないグラウト材６１のみで構成することが可能となり、鋼管杭１の荷重伝達機能に対する信頼性が向上する。
【００６２】
本実施形態では、鋼管杭１の埋込みに必要なグラウト材の投入を一次投入と二次投入の二度に分けて行うようにしたが、これに代えて、図７に示すように鋼管杭１を建て込む際、外ケーシング４１を引き抜きつつ、地盤改良領域５２の形成に必要な量を含めた鋼管杭１の埋込みに必要な全量のグラウト材７１を一括投入するようにしてもかまわない。
【００６３】
かかる構成によれば、グラウト材の投入作業を簡略化することが可能となり、鋼管杭１の埋込みを早期に終えることができる。
【００６４】
また、本実施形態では、鋼管杭１の下端が地盤改良領域５２の天端近傍高さとなるように該鋼管杭を退避させるようにしたが、これに代えて図８(a)に示すように、鋼管杭１の下端を地盤改良領域５２の天端からΔｈだけ離間させるのが望ましい。
【００６５】
かかる構成によれば、同図(b)に示すように、鋼管杭１の下端と地盤改良体８との間には、グラウト材６１のみが固化してなる固化体８１が形成される。
【００６６】
そのため、鋼管杭１からの軸力は、上述の実施形態では鋼管杭１の断面積を有効面積として地盤改良体８や地盤２に伝達するのに対し、本変形例では、鋼管杭１直下に形成された固化体８１の断面積を有効面積として地盤改良体８や地盤２に伝達する。
【００６７】
したがって、より広い面積で鋼管杭１からの軸力を地盤改良体８や地盤２に伝達させることが可能となり、鋼管杭１の先端支持力に対する信頼性が向上する。
【００６８】
また、本実施形態では、鋼管杭１を押し下げつつ回転させることで地盤改良領域５２を形成するにあたり、鋼管杭１を上方に戻すことなく下方にのみ移動させるようにしたが、これに代えて、図９に示すように、鋼管杭１の下端が地盤改良領域５２の高さ範囲で上下するように該鋼管杭を引き上げては押し下げる動作を繰り返し行うようにしてもよい。
【００６９】
かかる構成によれば、切削屑４３、攪乱土及びグラウト材５１をさらに均等に攪拌混合することが可能となる。
【符号の説明】
【００７０】
１            鋼管杭
２            地盤
３            掘削孔
４            底面
５            孔壁
６            杭本体
７            切削カッター（攪乱手段）
８            地盤改良体
４１            外ケーシング（ケーシング）
４３            切削屑
５１            グラウト材（一次投入されるグラウト材）
５２            地盤改良領域
６１            グラウト材（二次投入されるグラウト材）
７１            グラウト材（一括投入されるグラウト材）
８１            固化体
【図１】
2015108238.tif 000003
【図２】
2015108238.tif 000004
【図３】
2015108238.tif 000005
【図４】
2015108238.tif 000006
【図５】
2015108238.tif 000007
【図６】
2015108238.tif 000008
【図７】
2015108238.tif 000009
【図８】
2015108238.tif 000010
【図９】
2015108238.tif 000011